(57)【特許請求の範囲】
【請求項１】
溶融金属容器(1)の下部底面(1a)に固定される基枠(2)と、前記基枠(2)の内側に配設され上ノズル(8)に接続される上プレート(3)と、前記基枠(2)の外側位置にバネ(12)を介して上下動自在に配設されたバネホルダ(15)と、前記上プレート(3)の下方で前記上プレート(3)に対応して設けられたスライドプレート(5)と、前記スライドプレート(5)の外側位置に設けられ前記バネホルダ(15)の下部内面の支持面(13)上を走行するローラ(14)を有するスライドケース(4)とを備え、
前記スライドケース(4)の摺動により前記ローラ(14)が平面(13A)と前記平面(13A)から下がる下り斜面(13B)からなる支持面(13)上で走行する又は、支持面(13)から外れることにより、前記バネホルダ(15)が上下動し、面圧負荷及び解除を行なうことができるようにした自動面圧負荷スライドバルブ装置において、
前記バネホルダ(15)の外面には、前記バネホルダ(15)に連結され、全体形状がＬ字型をなすと共に、水平方向に突出する舌片(32)を有する面圧解除用ブラケット(30)が設けられ、前記溶融金属容器(1)と前記面圧解除用ブラケット(30)の前記舌片(32)との間に設置された解除用アクチュエータ(40)を有し、前記解除用アクチュエータ(40)を作動させることによって、前記面圧解除用ブラケット(30)を介してバネホルダ(15)が下方へ押されて前記バネ(12)が圧縮され、前記上プレート(3)とスライドプレート(5)間の面圧が解除されることを特徴とする自動面圧負荷スライドバルブ装置。
【請求項２】
溶融金属容器(1)の下部底面(1a)に固定される基枠(2)と、前記基枠(2)の内側に配設され上ノズル(8)に接続される上プレート(3)と、前記基枠(2)の外側位置にバネ(12)を介して上下動自在に配設されたバネホルダ(15)と、前記上プレート(3)の下方で前記上プレート(3)に対応して設けられたスライドプレート(5)と、前記スライドプレート(5)の外側位置に設けられ前記バネホルダ(15)の下部内面の平面(13A)と前記平面(13A)から下がる下り斜面(13B)からなる支持面(13)上を走行するローラ(14)を有するスライドケース(4)とを備え、
前記スライドケース(4)の摺動により前記ローラ(14)が前記支持面(13)上で走行する又は、支持面(13)から外れることにより、前記バネホルダ(15)が上下動し、面圧負荷及び解除を行なうことができると共に、前記バネホルダ(15)の外面には、前記バネホルダ(15)に連結され、全体形状がＬ字型をなすと共に、水平方向に突出する舌片(32)を有する面
圧解除用ブラケット(30)が設けられ、前記溶融金属容器(1)と前記面圧解除用ブラケット(30)の前記舌片(32)との間に設置された解除用アクチュエータ(40)を有し、前記解除用アクチュエータ(40)を作動させることによって、前記面圧解除用ブラケット(30)を介してバネホルダ(15)が下方へ押されて前記バネ(12)が圧縮され、前記上プレート(3)とスライドプレート(5)間の面圧が解除される自動面圧負荷スライドバルブ装置を用い、
前記バネ(12)による面圧負荷を解除することが不可能な場合、前記溶融金属容器(1)と前記面圧解除用ブラケット(30)間の距離を前記解除用アクチュエータ(40)で拡開させ、面圧負荷の解除又は低下とすることを特徴とする面圧解除方法。
【発明の詳細な説明】
【技術分野】
【０００１】
本発明は、自動面圧負荷スライドバルブ装置及び面圧解除方法に関し、特に、スライドプレートに地金付着が発生し、スライドプレートの摺動不能が発生した場合、バネホルダの面圧解除用ブラケットを用いて面圧解除を行なうことができるようにするための新規な改良に関する。
【背景技術】
【０００２】
一般に、連続鋳造設備においては、溶融金属容器からの溶融金属の流出を制御する手段として、溶融金属容器の底部にその流出口を開閉する自動面圧負荷スライドバルブ装置が設けられている。
【０００３】
このスライドバルブ装置は、例えば、トッグル機構を用い、面圧の負荷及び解除を人手によって行うようにした構成があり、他の構成として、特許文献１に示される本出願人が製作して図４に示している二層式の場合を挙げることができる。
すなわち、溶融金属容器１の底部に固定される基枠２に上プレート３が組み込まれ、この上プレート３の下部に位置するスライドケース４内にスライドプレート５と下ノズル６が支持され、前記スライドケース４を油圧または電動のアクチュエータ７により押し引きすることにより上プレート３とスライドプレート５との各ノズル孔３ａ、５ａを合致または非合致とすることにより、溶融金属容器１からインサートノズル８を通じて流下する溶融金属の流出を制御するように構成されている。
【０００４】
前記スライドケース４は、図５、６のようにバネ１２を用いてバネホルダ１５の下部内面の支持面１３上を摺動するローラ（移動体）１４を用いた押圧手段により上方へ向け付勢されてスライドプレート５を上プレート３に所定の押圧力をもって圧接させ、両プレート３、５のノズル孔３ａ、５ａからの溶融金属の漏洩や空気の侵入を防ぐようになされている。また、このローラ１４を有するスライドケース４は図６のように軸支部１５を介して開閉自在とされ、耐火物の交換等が可能である。
【０００５】
【特許文献１】特開２００６−１３６９１２号公報
【発明の開示】
【発明が解決しようとする課題】
【０００６】
従来の自動面圧負荷スライドバルブ装置及び面圧解除方法は、以上のように構成されていたため、次のような課題が存在していた。
（１）、プレートの面荒れ等に伴い地金付着が発生した場合、ＳＶ整備場（耐火物交換場所）で摺動不能が発生することがあった。すなわち、プレート面間に地金付が発生した場合、鋳込み中では地金の強度がないため、特に問題なく摺動するが、鋳込み終了後スラグ廃滓処理およびノズル内洗浄等の作業時間経過と共に地金が冷却され強度が増し、プレートに強固に固着した場合は、摺動不能が発生することがあった。
（２）、摺動不能が発生した場合、トッグルタイプ及びボルト・ナットタイプ等の人力タイプの面圧負荷機構では人手により面圧を解除し、ＳＶ装置を摺動させることが可能であったが、自動面圧負荷スライドバルブ装置の場合、自動面圧負荷タイプは、摺動させることにより面圧を負荷したり、解除したりする機構となっているため、面圧を解除することが出来ず摺動させることが出来なかった。
（３）、そのため摺動不能が発生した場合は、スライドバルブ装置の整備作業が出来ず取鍋の交換又は最悪鋳造カットを余儀なくされることもあった。
【課題を解決するための手段】
【０００７】
本発明による自動面圧負荷スライドバルブ装置は、溶融金属容器の底部下面に固定される基枠と、前記基枠の内側に配設され上ノズルに接続される上プレートと、前記基枠の外側位置にバネを介して上下動自在に配設されたバネホルダと、前記上プレートの下方で前記上プレートに対応して設けられたスライドプレートと、前記スライドプレートの外側位置に設けられ前記バネホルダの下部内面の支持面上を走行するローラを有するスライドケースとを備え、前記スライドケースの摺動により前記ローラが平面と前記平面から下がる下り斜面からなる支持面上で走行する又は、支持面から外れることにより、前記バネホルダが上下動し、面圧負荷及び解除を行なうことができるようにした自動面圧負荷スライドバルブ装置において、前記バネホルダの外面には、前記バネホルダに連結され、全体形状がＬ字型をなすと共に、水平方向に突出する舌片を有する面圧解除用ブラケットが設けられ、前記溶融金属容器と前記面圧解除用ブラケットの前記舌片との間に設置された解除用アクチュエータを有し、前記解除用アクチュエータを作動させることによって、前記面圧解除用ブラケットを介してバネホルダが下方へ押されて前記バネが圧縮され、前記上プレートとスライドプレート間の面圧が解除される構成であり、また、本発明による面圧解除方法は、溶融金属容器の底部下面に固定される基枠と、前記基枠の内側に配設され上ノズルに接続される上プレートと、前記基枠の外側位置にバネを介して上下動自在に配設されたバネホルダと、前記上プレートの下方で前記上プレートに対応して設けられたスライドプレートと、前記スライドプレートの外側位置に設けられ前記バネホルダの下部内面の平面と前記平面から下がる下り斜面からなる支持面上を走行するローラを有するスライドケースとを備え、前記スライドケースの摺動により前記ローラが前記支持面上で走行する又は、支持面から外れることにより、前記バネホルダが上下動し、面圧負荷及び解除を行なうことができると共に、前記バネホルダの外面には、前記バネホルダに連結され、全体形状がＬ字型をなすと共に、水平方向に突出する舌片を有する面圧解除用ブラケットが設けられ、前記溶融金属容器と前記面圧解除用ブラケットの前記舌片との間に設置された解除用アクチュエータを有し、前記解除用アクチュエータを作動させることによって、前記面圧解除用ブラケットを介してバネホルダが下方へ押されて前記バネが圧縮され、前記上プレートとスライドプレート間の面圧が解除される自動面圧負荷スライドバルブ装置を用い、前記バネによる面圧負荷を解除することが不可能な場合、前記溶融金属容器と前記面圧解除用ブラケット間の距離を前記解除用アクチュエータで拡開させ、面圧負荷力の解除又は低下とする方法である。
【発明の効果】
【０００８】
本発明による自動面圧負荷スライドバルブ装置及び面圧解除方法は、以上のように構成されているため、次のような効果を得ることができる。
すなわち、請求項１及び２においては、溶融金属容器の底部下面に固定される基枠と、前記基枠の内側に配設され上ノズルに接続される上プレートと、前記基枠の外側位置にバネを介して上下動自在に配設されたバネホルダと、前記上プレートの下方で前記上プレートに対応して設けられたスライドプレートと、前記スライドプレートの外側位置に設けられ前記バネホルダの下部内面の支持面上を走行するローラを有するスライドケースとを備え、前記スライドケースの摺動により前記ローラが平面と前記平面から下がる下り斜面からなる支持面上で走行する又は、支持面から外れることにより、前記バネホルダが上下動し、面圧負荷及び解除を行なうことができると共に、前記バネホルダの外面には、前記バネホルダに連結され、全体形状がＬ字型をなすと共に、水平方向に突出する舌片を有する面圧解除用ブラケットが設けられていることにより、プレートの面荒れ等に伴い地金付着が発生し、摺動不能が発生した場合においても、前記溶融金属容器と前記面圧解除用ブラケットの舌片との間の距離を解除用アクチュエータで拡開させ、バネを縮小させることにより、バネホルダ及びスライドケースが下方へ移動し、面圧負荷力の解除又は低下となり、面圧解除によってスライドプレートの摺動が可能となる。そのため、取鍋の交換、鋳造カットは皆無となり、生産性の阻害をなくすことができる。
【発明を実施するための最良の形態】
【０００９】
本発明は、スライドプレートに地金付着が発生し、スライドプレートの摺動不能が発生した場合、バネホルダの面圧解除用ブラケットを用いて面圧解除を行なうようにした自動面圧負荷スライドバルブ装置及び面圧解除方法を提供することを目的とする。
【実施例】
【００１０】
以下、図面と共に本発明による自動面圧負荷スライドバルブ装置及び面圧解除方法の好適な実施の形態について説明する。
尚、従来例と同一又は同等部分には同一符号を付して説明する。
図１は、スライドバルブ装置２０の使用位置（全閉位置）の状態を示しており、溶融金属容器１の下部底面１ａには基枠２を介して下ノズル６に連通するノズル孔３ａを有する上プレート３が設けられている。
【００１１】
前記上プレート３の下部には、ノズル孔５ａを備えたスライドプレート５を有するスライドケース４が油圧又は電動等からなるアクチュエータ７に接続され、このアクチュエータ７の作動によりスライドケース４のみが独立して図中の左右に摺動できるように構成されている。
【００１２】
前記基枠２の両側には、圧縮された状態のバネ１２を介して上下動自在に設けられた断面コ字型をなすバネホルダ１５が設けられており、前記スライドケース４の両側には各々複数のローラ１４が回転自在に設けられている。
【００１３】
前記各ローラ１４は、図４及び図５に特に示されるように、前記バネホルダ１５の下部内面の平面１３Ａと前記平面１３Ａから下がる下り斜面１３Ｂからなる支持面１３上を走行できるように構成され、この支持面１３が、図５に示されるように周知のカム面で形成されているため、前記スライドケース４の移動に伴う前記ローラ１４の走行又は支持面１３から外れることによって前記バネホルダ１５の上下動が発生し、上プレート３に対する前記スライドプレート５による面圧負荷及び面圧解除がなされるように構成されている。
尚、前述の構成は、前述の特許文献１に開示されたスライドバルブ装置と同じ周知の構成である。
【００１４】
次に、本発明においては、前記バネホルダ１５の外面に、面圧解除用ブラケット３０が設けられ、この面圧解除用ブラケット３０は、一例として、全体形状がＬ字型をなすと共にボルト３１で固定されている。
また、前記面圧解除用ブラケット３０の下部には、水平方向に突出する舌片３２が形成されている。尚、この面圧解除用ブラケット３０の形状は、この構成以外の形状である棒状、筒状もしくは、バネホルダ１５と一体物でも可である。
【００１５】
前述の構成によるスライドバルブ装置２０において、鋳込み終了後、スラグ廃滓処理およびノズル内洗浄等の作業時間経過と共に地金が冷却されて強度が増し、各プレート３、５に強固に固着した場合は、摺動不能が発生する。
【００１６】
前述の摺動不能が発生した場合、図１から図３で示されるように、例えば、簡易型の油圧シリンダからなる解除用アクチュエータ４０を前記溶融金属容器１である取鍋鉄皮と面圧解除用ブラケット３０の舌片３２との間に設置し、この解除用アクチュエータ４０を作動させることにより、この面圧解除用ブラケット３０を介してバネホルダ１５が下方へ押されてバネ１２が圧縮され、各プレート３、５間の面圧が解除又は低下となり、スライドプレート５の摺動が可能となる。
従って、その後のスライドバルブ装置２０の確認又は整備作業を実施することができる。尚、本形態では二層式の場合について述べたが、周知の三層式のスライドバルブにも適用できる。
【図面の簡単な説明】
【００１７】
【図１】本発明による自動面圧負荷スライドバルブ装置を示す図３のＡ−Ａ構成図である。
【図２】図１の一部を省略した側断面図である。
【図３】図２の矢視Ｂ図である。
【図４】従来の自動面圧負荷スライドバルブ装置を示す断面図である。
【図５】図４の一部を省略した側面図である。
【図６】図４の一部開状態を示す断面図である。
【符号の説明】
【００１８】
１    溶融金属容器
１ａ    下部底面
２    基枠
３    上プレート
３ａ    ノズル孔
４    スライドケース
５    スライドプレート
５ａ    ノズル孔
６    下ノズル
７    アクチュエータ
８    上ノズル
１２    バネ
１３ 支持面
１３Ａ 平面
１３Ｂ 下り斜面
１４    ローラ
１５    バネホルダ
２０    スライドバルブ装置
３０    面圧解除用ブラケット
３１    ボルト
３２    舌片
４０    解除用アクチュエータ（油圧シリンダ）
【図１】
0004787233.tif 000002
【図２】
0004787233.tif 000003
【図３】
0004787233.tif 000004
【図４】
0004787233.tif 000005
【図５】
0004787233.tif 000006
【図６】
0004787233.tif 000007